【手続補正書】
【提出日】平成15年9月22日(2003.9.22)
【手続補正１】
【補正対象書類名】明細書
【補正対象項目名】発明の名称
【補正方法】変更
【補正の内容】
【発明の名称】記録再生装置
【手続補正２】
【補正対象書類名】明細書
【補正対象項目名】特許請求の範囲
【補正方法】変更
【補正の内容】
【特許請求の範囲】
【請求項１】
回転ヘッド装置を備えたヘリカルスキャン方式の記録再生装置であって、
第１のトラックピッチで記録される第１のモードと、前記第１のトラックピッチよりも小さく、かつ前記第１のトラックピッチの３分の１よりも大きい第２のトラックピッチで記録される第２のモードとを有しており、
記録または再生時において、前記第１のモードと前記第２のモードとで兼用され、かつ前記第１のトラックピッチと同等、ないしはそれ以下のトラック幅を有する第１の回転ヘッドを備えてなることを特徴とする記録再生装置。
【請求項２】
再生時において、前記トラック幅の中心をトラックピッチの中心と一致させて走査させる再生走査手段を備えてなることを特徴とする請求項１に記載の記録再生装置。
【請求項３】
前記トラック幅は、前記第１のトラックピッチと同等であることを特徴とする請求項１または請求項２に記載の記録再生装置。
【請求項４】
前記トラック幅は、１９．３３μmであることを特徴とする請求項３に記載の記録再生装置。
【請求項５】
前記第１のトラックピッチよりも大きい第３のトラックピッチで記録される第３のモードを備えてなることを特徴とする請求項１または請求項２に記載の記録再生装置。
【請求項６】
前記第３のモードでの記録または再生時において、前記第１の回転ヘッドが兼用されることを特徴とする請求項５に記載の記録再生装置。
【請求項７】
前記回転ヘッド装置は、前記第１の回転ヘッドの近傍に、前記第３のモードで記録または再生時に用いられる第２の回転ヘッドを備えてなることを特徴とする請求項５に記載の記録再生装置。
【請求項８】
前記第１の回転ヘッドのトラック幅は、前記第３のトラックピッチの３分の１とされてなることを特徴とする請求項５に記載の記録再生装置。
【請求項９】
前記回転ヘッド装置は、音声情報の記録または再生時に用いられる音声ヘッドを備えてなることを特徴とする請求項１または請求項２に記載の記録再生装置。
【請求項１０】
前記音声ヘッドのトラック幅は、前記第１の回転ヘッドのトラック幅以下であることを特徴とする請求項９に記載の記録再生装置。
【請求項１１】
前記音声ヘッドのトラック幅は、前記第２のトラックピッチの３倍以下であることを特徴とする請求項９に記載の記録再生装置。
【請求項１２】
前記第２のトラックピッチを変化可能のトラックピッチ可変手段を備えてなることを特徴とする請求項１または請求項２に記載の記録再生装置。
【請求項１３】
前記第１のトラックピッチよりも大きい第３のトラックピッチで記録される第３のモードを備え、
前記第２のトラックピッチは、前記トラックピッチ可変手段により、前記第３のトラックピッチの整数分の１を満足するような複数種類のトラックピッチから選択自在に変化可能とされてなることを特徴とする請求項１２に記載の記録再生装置。
【請求項１４】
外部からの指令が入力される入力手段と、
前記入力手段に入力された指令に応じて、前記トラックピッチ可変手段を制御する制御手段と、
を備えてなることを特徴とする請求項１２または請求項１３に記載の記録再生装置。
【請求項１５】
前記入力手段は、所定の記録時間の情報を、前記第２のモードの所定のトラックピッチで記録するように受付可能であり、
前記制御手段は、前記所定のトラックピッチで記録可能な残余時間が前記所定の記録時間よりも少ないときに、記録可能な残余時間を前記所定の記録時間以上とし、かつ設定可能なうちで最も大きなトラックピッチに変更するように前記トラックピッチ可変手段を制御することを特徴とする請求項１４に記載の記録再生装置。
【請求項１６】
ヘリカルスキャン方式の記録再生装置であって、
第１のトラックピッチで記録される第１のモードと、前記第１のトラックピッチの３分の１の第２のトラックピッチで記録される第２のモードと、前記第１のトラックピッチの６分の１以上で、かつ３分の１より小さい第３のトラックピッチで記録される第３のモードとを有しており、
前記第１のモードおよび前記第２のモードおよび前記第３のモードでの記録または再生時において兼用される回転ヘッドと、
音声情報の記録または再生時に用いられる音声ヘッドと、
再生時において、前記ヘッドのトラック幅の中心をトラックピッチの中心と一致させて走査させる再生走査手段と、を備え、
前記回転ヘッドおよび前記音声ヘッドのトラック幅は、１９．３３μm以上で、かつ２９．０１μm未満とされてなることを特徴とする記録再生装置。
【請求項１７】
ヘリカルスキャン方式の記録再生装置であって、
第１のトラックピッチで記録される第１のモードと、前記第１のトラックピッチの３分の１の第２のトラックピッチで記録される第２のモードと、前記第１のトラックピッチの５分の１以上で、かつ３分の１より小さい第３のトラックピッチで記録される第３のモードとを有しており、
前記第１のモードおよび前記第２のモードおよび前記第３のモードでの記録または再生時において兼用される回転ヘッドと、
音声情報の記録または再生時に用いられる音声ヘッドと、
再生時において、前記ヘッドのトラック幅の中心をトラックピッチの中心と一致させて走査させる再生走査手段と、を備え、
前記回転ヘッドおよび前記音声ヘッドのトラック幅は、１９．３３μm以上で、かつ３４．８μm未満とされてなることを特徴とする記録再生装置。
【請求項１８】
前記記録再生装置は、ＶＨＳ方式のビデオテープレコーダーであることを特徴とする請求項１ないし請求項１７のいずれかに記載の記録再生装置。
【請求項１９】
ヘリカルスキャン方式の記録再生装置であって、
前記記録再生装置はＶＨＳ方式のビデオテープレコーダーであり、
５８μmのトラックピッチで記録される第１のモードと、５８μmの５分の１のトラックピッチで記録される第２のモードとを有してなることを特徴とする記録再生装置。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３８
【補正方法】変更
【補正の内容】
【００３８】
上記構成によれば、以下のような作用を有する。すなわち、
上記（１）において、第１の回転ヘッドが第１のモードおよび第２のモードで兼用されることにより、コストアップを抑制しつつ、長時間記録が可能なＶＴＲが実現できる。


【手続補正１７】
【補正対象書類名】明細書
【補正対象項目名】００４０
【補正方法】変更
【補正の内容】
【００４０】
また、上記（３）において、第１の回転ヘッドのトラック幅を第１のトラックピッチと同等にすることにより、隣接トラックからのクロストークを抑制可能とした上で、ヘッド出力を大きくできる。そのため、第１のモードの再生画質を良好に保ちつつ、コストアップを抑制可能な兼用ヘッドでの長時間記録が可能になる。


【手続補正１８】
【補正対象書類名】明細書
【補正対象項目名】００４１
【補正方法】変更
【補正の内容】
【００４１】
また、上記（４）において、 ＶＨＳ方式のビデオテープレコーダの場合、３倍モードでのトラックピッチは１９．３３μmであるため、第１の回転ヘッドのトラック幅を１９．３３μmにすることにより、隣接トラックからのクロストークを抑制可能とした上で、ヘッド出力を大きくできる。そのため、３倍モードの画質を保ちつつ、３倍を越える長時間記録が可能になる。


【手続補正１９】
【補正対象書類名】明細書
【補正対象項目名】００４２
【補正方法】変更
【補正の内容】
【００４２】
また、上記（５）において、第３のモードを前記回転ヘッドで兼用することにより、コストアップを抑制させながら長時間記録モードを含む３種類のモードでの記録が可能になる。


【手続補正２０】
【補正対象書類名】明細書
【補正対象項目名】００４３
【補正方法】変更
【補正の内容】
【００４３】
また、上記（６）において、第３のモード専用のヘッドを設けることにより、第３のモードの記録および再生を良好に実現できる。標準モード専用ヘッドと、３倍モードと長時間モードを兼用するヘッドとを設けることにより、コストアップを抑制させながら、標準モードの画質を良好なままで、長時間記録が可能になる。


【手続補正２１】
【補正対象書類名】明細書
【補正対象項目名】００４４
【補正方法】変更
【補正の内容】
【００４４】
また、上記（７）において、ＶＨＳ方式のＶＴＲの場合、いわゆる標準モードのトラックピッチの３分の１のトラック幅にすることにより、再生時において、ヘッドが隣々接トラックにかかることなくトラックを走査可能なため、画質を良好にできる。


【手続補正２２】
【補正対象書類名】明細書
【補正対象項目名】００４５
【補正方法】変更
【補正の内容】
【００４５】
また、上記（８）において、ヘリカルトラックに音声情報を記録する場合、音声情報を記録後に映像情報を回転ヘッドで記録するため、音声ヘッドのトラック幅を回転ヘッドのトラック幅以下にすることにより、音声情報が記録されているトラックを回転ヘッドにより完全に重ね書きできる。


【手続補正２３】
【補正対象書類名】明細書
【補正対象項目名】００４６
【補正方法】変更
【補正の内容】
【００４６】
また、上記（９）において、音声ヘッドのトラック幅は回転ヘッドのトラック幅以下になり、前述のように、音声情報が記録されているトラックを回転ヘッドにより完全に重ね書きできる。


【手続補正２４】
【補正対象書類名】明細書
【補正対象項目名】００５１
【補正方法】変更
【補正の内容】
【００５１】
また、上記（１４）において、いわゆる標準モードと３倍モードと３倍を越え６倍までの長時間モードとを一対のヘッドで兼用でき、コストアップを抑制させつつ、長時間記録を実現できる。


【手続補正２５】
【補正対象書類名】明細書
【補正対象項目名】００５２
【補正方法】変更
【補正の内容】
【００５２】
また、上記（１５）において、標準モードと３倍モードと５倍までの長時間モードとを一対のヘッドで兼用できる。


【手続補正２６】
【補正対象書類名】明細書
【補正対象項目名】００５３
【補正方法】変更
【補正の内容】
【００５３】
また、上記（１７）において、ＶＨＳ方式の標準トラックピッチである５８μmの５分の１のトラックピッチで記録されるモードを備えることによりＶＨＳ方式のＶＴＲで最も多く使用されている２時間テープで２桁時間となる１０時間の記録が可能になる。また、他の記録再生装置と互換再生する場合においても、隣々接トラックからの影響をほとんど受けず、良好な画質が得られる。